(57)【特許請求の範囲】
【請求項１】
直流バイアス電流を必要とするコンデンサマイクロホンの電源供給方式であって、前記コンデンサマイクロホンの音声出力を増幅する増幅回路の基準電圧発生回路の出力電位を基準としたプラス電位及びマイナス電位を生成するバイアス生成手段を含み、このプラス電位及びマイナス電位を前記コンデンサマイクロホンの両端に付与することを特徴とする電源供給方式。
【請求項２】
前記バイアス生成手段は、前記基準電位発生回路の出力を夫々安定化する安定化回路と、この安定化回路出力を夫々ベース入力とする互いに相補導電型のトランジスタとを有し、これ等トランジスタのコレクタ出力を前記コンデンサマイクロホンの両端に付与することを特徴とする請求項１記載の電源供給方式。
【請求項３】
前記安定化回路は、安定化用コンデンサを有することを特徴とする請求項２記載の電源供給方式。
【請求項４】
請求項１〜３いずれか記載の電源供給方式を採用したコンデンサマイクロホンの増幅回路であって、前記コンデンサマイクロホンの両端からの音声出力を差動入力とする差動増幅器を有することを特徴とする増幅回路。
【請求項５】
前記コンデンサマイクロホンの両端からの音声出力を、夫々直流カット用コンデンサを介して前記差動入力に供給するようにしたことを特徴とする請求項４記載の増幅回路。
【請求項６】
請求項１〜３いずれか記載の電源供給方式を採用したことを特徴とする電話端末装置。
【請求項７】
請求項４または５記載の増幅回路を採用したことを特徴とする電話端末装置。
【発明の詳細な説明】
【０００１】
【発明の属する技術分野】
本発明はコンデンサマイクロホンの電源供給方式及びその増幅回路並びにそれを用いた電話端末装置に関し、特に直流バイアス電流を必要とするコンデンサマイクロホンの電源供給方式に関するものである。
【０００２】
【従来の技術】
この様なコンデンサマイクロホンの周辺回路は、一般に携帯電話，ＰＨＳ(Personal Handy Phone System) や有線電話機等の送話回路に使用され、この送話音声には、できるだけノイズの重畳を抑えることが要求される。かかる要請に応えるために、例えば、特開平１０−２００６２５号公報に開示されている様に、マイクロホンに供給する電流は、このマイクロホンの音声出力を検出増幅する増幅回路の基準電圧を発生する基準電圧発生回路の電位を基に、生成する技術が提案されている。
【０００３】
図２はこの技術を説明するための回路図である。コンデンサマイクロホン５の出力は直流カット用コンデンサ６を介してマイクアンプ７へ入力され増幅される。このマイクアンプ７は差動増幅器により構成されており、このマイクアンプ７の基準電圧として、基準電圧発生回路１による電圧が用いられている。この電圧は、またコンデンサマイクロホン５のバイアスとしても用いられている。
【０００４】
すなわち、装置電源ＶCCをコレクタ電源とするＮＰＮトランジスタ２のベースに、基準電圧発生回路１の出力電位が供給されており、このトランジスタ２のエミッタ出力が負荷抵抗４を介してコンデンサマイクロホン５の一端に供給されている。また、コンデンサ３は安定化用コンデンサである。
【０００５】
かかる構成において、基準電圧発生回路１から出力された電流は、トランジスタ２と安定化用コンデンサ３によるノイズ成分が除去され、負荷抵抗４を介してコンデンサマイクロホン５に供給される。これにより、ノイズ発生の少ない電源供給方式を実現している。
【０００６】
【発明が解決しようとする課題】
ところが、この技術では、コンデンサマイクロホン５のマイナス側に接地されているのがグランドである。よって電話機等のグランドのインピーダンスが高い回路では、基準電圧発生回路１の出力電位と、グランド間に交流電位が発生することがあり、その結果、その差異がノイズとしてマイクアンプ７の出力に発生してしまう問題がある。
【０００７】
更には、本回路のトランジスタ２はＮＰＮタイプであるので、エミッタ出力電位は、基準電位発生回路１の出力電位から０．７Ｖ程度低くなってしまう（トランジスタのベース，エミッタ間の電圧効果による）。従って、近年、一般的になっている電源電圧が３Ｖ程度の回路においては、基準電圧発生回路の出力をＶCC／２とすると、コンデンサマイクロホン５に印加するバイアス電圧は、３Ｖ／２−０．７＝０．８Ｖとなってしまい、コンデンサマイクロホンの一般的な低電位動作下限１．５Ｖを下回るので、特殊なマイクロホンを使用することとなり、高価になってしまうという問題もある。
【０００８】
本発明の目的は、電源やグランドの影響を受けないようにしてノイズの少ないコンデンサマイクロホンの電源供給方式及びその増幅回路並びにそれを用いた電話端末装置を提供することである。
【０００９】
本発明の他の目的は、電圧降下が少ない電源供給方式を採用して、低電圧電源で動作可能なコンデンサマイクロホンの電源供給方式及びその増幅回路並びにそれを用いた電話端末装置を提供することである。
【００１０】
【課題を解決するための手段】
本発明によれば、直流バイアス電流を必要とするコンデンサマイクロホンの電源供給方式であって、前記コンデンサマイクロホンの音声出力を増幅する増幅回路の基準電圧発生回路の出力電位を基準としたプラス電位及びマイナス電位を生成するバイアス生成手段を含み、このプラス電位及びマイナス電位を前記コンデンサマイクロホンの両端に付与することを特徴とする電源供給方式が得られる。
【００１１】
そして、前記バイアス生成手段は、前記基準電位発生回路の出力を夫々安定化する安定化回路と、この安定化回路出力を夫々ベース入力とする互いに相補導電型のトランジスタとを有し、これ等トランジスタのコレクタ出力を前記コンデンサマイクロホンの両端に付与することを特徴とし、また前記安定化回路は、安定化用コンデンサを有することを特徴とする。
【００１２】
本発明によれば、上記の各電源供給方式を採用したコンデンサマイクロホンの増幅回路であって、前記コンデンサマイクロホンの両端からの音声出力を差動入力とする差動増幅器を有することを特徴とする増幅回路が得られる。そして、前記コンデンサマイクロホンの両端からの音声出力を、夫々直流カット用コンデンサを介して前記差動入力に供給するようにしたことを特徴とする。
【００１３】
本発明によれば、上記の電源供給方式や増幅回路を採用したことを特徴とする電話端末装置が得られる。
【００１４】
本発明の作用を述べる。コンデンサマイクロホンの音声出力を検出増幅する回路の基準電圧発生回路の電位を基準として、プラス電位及びマイナス電位を、一対の相補型のバイポーラトランジスタにより生成し、これ等トランジスタによるプラス電位及びマイナス電位をコンデンサマイクロホンの両端に付与するものである。これ等トランジスタのベース電流が基準電圧発生回路の電圧を基準としているので、当該コンデンサマイクロホンが出力する音声信号には、電源ＶCCやグランドからのノイズの重畳が極めて少なくなり、結果的にマイクアンプを構成する差動増幅器への音声出力にはノイズが少なくなるものである。
【００１５】
【発明の実施の形態】
以下に、図面を参照しつつ本発明の実施例を説明する。図１は本発明の実施例の回路図であり、図２と同等部分は同一符号により示している。図１において、マイクアンプ７の基準電圧発生回路１の出力電圧は、安定化用コンデンサ１５及び抵抗１４の並列回路を介してＰＮＰトランジスタ１０のベースへ供給されている。また、安定化用コンデンサ１７及び抵抗１６の並列回路を介して、ＮＰＮトランジスタ１１のベースへも供給されている。
【００１６】
トランジスタ１０のエミッタは装置電源ＶCCに接続され、そのコレクタ出力は負荷抵抗１２を介してコンデンサマイクロホン５の一端に供給されている。トランジスタ１１のエミッタは接地されており、そのコレクタ出力は負荷抵抗１３を介してコンデンサマイクロホン５の他端に供給されている。
【００１７】
コンデンサマイクロホン５の音声出力は直流カット用コンデンサ１８，１９を介してマイクアンプ７の差動増幅器２０の差動入力となっている。尚、２１〜２４は抵抗を示しており、基準電圧発生回路１の出力電圧は差動増幅器２０の基準電圧として、逆相入力へ抵抗２１を介して印加されている。
【００１８】
抵抗１４，１６は各トランジスタ１０，１１のベース電流制限抵抗として機能する。また、安定化用コンデンサ１５及び１７は両トランジスタのベースに流れる交流電流を平滑化し、ＶCC及びグランド電位の変動成分を除去する機能を有する。
【００１９】
ＰＮＰトランジスタ１０はＶCCと接続されてエミッタより電流を出力するが、このＰＮＰトランジスタ１０に流れるベース電流は、前述の様に基準電圧発生回路１の出力電圧に安定化されているので、同様に負荷抵抗１２を通りコンデンサマイクロホン５に供給されるエミッタ出力電流は、トランジスタのｈfe倍の電流となり非常に安定する。
【００２０】
ＮＰＮトランジスタ６も同様な理由で、ベース電流が基準電圧発生回路１の出力電圧に安定化されているので、負荷抵抗１３を通りコンデンサマイクロホン５から流れるコレクタ出力電流も非常に安定している。これ等のトランジスタの回路構成におけるコレクタ，エミッタ間電圧降下は、０．２Ｖ程度であるので、コンデンサマイクロホン５に加えるバイアス電圧の降下を最小限に抑えることができる。よって最近一般的となっている３Ｖ程度のＶCCであっても、汎用的なコンデンサマイクロホンを動作させることが可能になっている。
【００２１】
また、差動増幅器２０は、直流カットコンデンサ１８及び１９を介してコンデンサマイクロホン５の両端に接続され、基準電圧発生回路１の電圧を基準に差動増幅している。従って、コンデンサマイクロホン５にて検出されて差動増幅器２０より出力される音声信号は、全ての経路で基準電圧発生回路１の電圧にて動作することが可能であり、ＶCC及びグランド電位の変動影響を受けることなくノイズの重畳しない音声信号を出力することとなる。
【００２２】
図１に示した差動増幅器２０や、基準電圧発生回路１の詳細構成及び動作については、当業者にとって周知であり、よってその説明は省略する。また、上述した回路構成は単に一例を示すものにすぎず、種々の変形が可能であることは勿論である。
【００２３】
【発明の効果】
以上説明した様に、本発明によれば、マイクロホンの音声を検出・増幅するオーディオ回路の基準電圧発生回路の電位を基準としたプラス電位とマイナス電位をマイクロホンに供給するという基本構成に基づき、電源，グランドの変動影響を受けづらくノイズの少ないコンデンサマイクロホンの電源供給方式が提供される。特に電話機等のＶCC，グランドがそれ程安定していない機器のマイクロホンの電源供給回路に本発明を実施すると、ＶCC，グランドからのノイズ重畳の非常に少ない音声出力を実現できる。
【００２４】
また、本回路は、従来技術の様にトランジスタでの電圧降下が大きくないので、一般的なコンデンサマイクロホンも接続することができ、安価に実現が可能である。
【図面の簡単な説明】
【図１】本発明の実施例の回路図である。
【図２】従来例を示す回路図である。
【符号の説明】
１  基準電圧発生回路
５  コンデンサマイクロホン
７  マイクアンプ
１０  ＰＮＰトランジスタ
１１  ＮＰＮトランジスタ
１２，１３  コレクタ負荷抵抗
１４，１６  ベース電流制限用抵抗
１５，１７  安定化用コンデンサ
１８，１９  直流カット用コンデンサ
２０  差動増幅器
【図１】
0003821594.tif 000002
【図２】
0003821594.tif 000003